(57)【要約】【課題】コッターの挿入を補助するコッター挿入補助具を提供する。【解決手段】補助具１０は、二山クレビス形の第１支持部７１に貫通した第１貫通穴７１ｈと一山クレビス形の第２支持部７２に貫通した第２貫通穴７２ｈを一致させて、コッター８を挿入することを補助する。補助具１０は、第１貫通穴７１ｈ及び第２貫通穴７２ｈに挿通可能な外径Ｄ１を有する円柱状の軸部１ａと、軸部１ａの先端部に形成された、縮径した挿入端部１ｂと、軸部１ａの基端部に形成され、軸部１ａの外周方向に突出するフランジ部１ｃと、を備える。軸部１ａは、第１貫通穴７１ｈの一方の開口から挿入してフランジ部１ｃが第１支持部７１の一方の外面に当接した状態で、先端縁が第２貫通穴７２ｈを越える共に、コッター８の先端部を第１貫通穴７１ｈの他方の開口から部分的に挿入できるように、先端縁が第１支持部７１の他方の外面から奥に位置する挿入長さＬを有する。【選択図】図１
2013033703.tif 000002
【特許請求の範囲】
【請求項１】
二山クレビス形の第１支持部と一山クレビス形の第２支持部を揺動自在に連結するために、前記第１支持部に貫通した第１貫通穴と前記第２支持部に貫通した第２貫通穴を一致させて、円柱状のコッターを挿入することを補助するコッター挿入補助具であって、
前記第１貫通穴及び前記第２貫通穴に挿通可能な外径を有する円柱状の軸部と、
この軸部の先端部に向かって縮径した挿入端部と、
前記軸部の基端部に形成され、前記軸部の外周方向に突出するフランジ部と、を備え、
前記軸部は、前記第１貫通穴の一方の開口から挿入して前記フランジ部が前記第１支持部の一方の外面に当接した状態で、先端縁が前記第２貫通穴を越える共に、前記コッターの先端部を前記第１貫通穴の他方の開口から部分的に挿入できるように、先端縁が前記第１支持部の他方の外面から奥に位置する挿入長さを有するコッター挿入補助具。
【請求項２】
二山クレビス形の第１支持部と一山クレビス形の第２支持部を揺動自在に連結するために、前記第１支持部に貫通した第１貫通穴と前記第２支持部に貫通した第２貫通穴を一致させて、円柱状のコッターを挿入することを補助するコッター挿入補助具であって、
円柱状の軸部、この軸部の先端部に向かって縮径した挿入端部、及び前記軸部の基端部に形成され、前記軸部の外周方向に突出するフランジ部を有する円柱状の補助具本体と、
この補助具本体の軸部に装着される円筒状の弾性スリーブと、を備え、
前記弾性スリーブは、
前記軸部の基端部側に保持される保持部と、
先端部から前記保持部に向かって軸方向に複数のスリットを形成して、外周方向に等分割された分割片で構成された分割部と、を有し、
前記分割片は、
前記軸部の外壁と間隙を設けるように、先端部から中間部に向かって拡径する第１傾斜面と、
中間部から前記保持部に向かって縮径する第２傾斜面と、を有し、
前記軸部は、前記第１貫通穴の一方の開口から挿入して前記フランジ部が前記第１支持部の一方の外面に当接した状態で、先端縁が前記第２貫通穴を越える共に、前記コッターの先端部を前記第１貫通穴の他方の開口から部分的に挿入できるように、先端縁が前記第１支持部の他方の外面から奥に位置する挿入長さを有し、
前記弾性スリーブの先端部及び保持部は、前記第１貫通穴に挿通可能な外径を有し、
前記弾性スリーブの分割部は、前記第２貫通穴に挿入されて弾性変形可能に縮小する外径を有するコッター挿入補助具。
【請求項３】
前記軸部は、前記第２貫通穴に挿抜するときに、螺旋回転が可能な螺旋溝を外周に形成している請求項１記載のコッター挿入補助具。
【請求項４】
前記軸部の基端部に繋留された落下防止用の紐体を更に備える請求項１から３のいずれかに記載のコッター挿入補助具。
【請求項５】
少なくとも前記挿入端部は、前記コッターの先端面に吸着可能な磁性体で形成している請求項１から４のいずれかに記載のコッター挿入補助具。
【請求項６】
前記挿入端部は、その先端縁が軸方向と直交する平坦面で形成している請求項１から５のいずれかに記載のコッター挿入補助具。
【請求項７】
請求項１から６のいずれかに記載のコッター挿入補助具を用いて、前記第１支持部を上部に有し、前記第２支持部を下部に有する複数の懸垂碍子を連結する碍子連。
【発明の詳細な説明】
【技術分野】
【０００１】
本発明は、コッター挿入補助具に関する。特に、懸垂碍子などの端部に設けたクレビス形支持部に貫通した第１貫通穴と、このクレビス形支持部に連結する支持部材に貫通した第２貫通穴を一致させて、コッターの挿入を容易にする補助具の構造に関する。
【背景技術】
【０００２】
碍子は、その本体が磁器で構成されている。一般に、碍子は、電線と支持部材の間に介在され、電線を絶縁支持している。例えば、複数の懸垂碍子が複数のコッターで連結された、いわゆる碍子連は、その一端部が電柱又は鉄塔に支持され、その他端部に電線を張設している。
【０００３】
図１１は、上記のように連設された懸垂碍子の正面図であり、一部を断面で示している。図１１を参照すると、懸垂碍子７は、磁器で形成された傘状の本体７０を備えている。又、懸垂碍子７は、二山クレビス形の第１支持部７１と、一山クレビス形の第２支持部７２を備えている。第１支持部７１は、本体７０の上部に突出している。第２支持部７２は、本体７０の下部に突出している。
【０００４】
図１１を参照すると、第１支持部７１に貫通した第１貫通穴７１ｈと、第２支持部７２に貫通した第２貫通穴７２ｈを一致させて、円柱状のコッター８を挿入することにより、コッター８を中心として複数の懸垂碍子７を揺動可能に連結できる。なお、複数の懸垂碍子７を連結後に、コッター８には、脱落防止用の割りピン８ｐが取り付けられる。
【０００５】
図１１を参照すると、例えば、ＪＩＳで規格された大型の懸垂碍子７は、第２貫通穴７２ｈが本体７０の内部に一部重なって開口している。このため、コッター８の先端部を第１貫通穴７１ｈに部分的に挿入した状態で、第１支持部７１の二山クレビスの間に第２支持部７２の一山クレビスをスライドして、第１貫通穴７１ｈと第２貫通穴７２ｈを完全に一致させた後に、コッター８を挿入していた。
【０００６】
しかし、コッター８の先端部が平坦なことから、第１貫通穴７１ｈと第２貫通穴７２ｈが完全に一致するまで、コッター８の挿入が困難なこと、及び第１貫通穴７１ｈと第２貫通穴７２ｈが完全に一致していることを視覚的に確認することが容易でないことなどから、コッターの挿入作業に労力と時間を費やしていた。
【０００７】
このような不具合を解消するため、懸垂碍子などに設けたクレビス形の貫通穴に、コッターを容易に挿入できるように、コッターの挿入を補助するコッター挿入補助具が開示されている（例えば、特許文献１参照）。
【０００８】
特許文献１によるコッター挿入補助具は、コッターの先端部を挿入可能な内部が中空の円筒状の嵌合部と、嵌合部に連続して徐々に収斂するように略円錐形に形成された内部が中実の尖端部で構成されている。そして、コッターの先端部を嵌合部に挿入した状態で、尖端部をクレビス形の貫通穴に打ち込み、コッターがクレビス形の貫通穴の貫通後に、コッター挿入補助具を引き抜くことにより、コッターを容易に挿入できる、としている。
【先行技術文献】
【特許文献】
【０００９】
【特許文献１】特開２００８−８４７３１号公報
【発明の概要】
【発明が解決しようとする課題】
【００１０】
しかしながら、特許文献１によるコッター挿入補助具は、コッターの先端部にキャップを被せたように、その全長を増加させるので、コッター８の基端部が本体７０の底面に波状に突出した襞７ａ（図１１参照）に当接し易くなり、コッターと一体になったコッター挿入補助具を挿入することを困難にする、という問題がある。
【００１１】
又、特許文献１によるコッター挿入補助具は、コッターの先端部にキャップを被せたように、その外径を増加させるので、第１貫通穴７１ｈ（図１１参照）への挿入を困難にするという問題がある。
【００１２】
更に、特許文献１によるコッター挿入補助具は、尖端部が円錐形に形成されているので、把持し難く、コッターが引き抜き難く、コッターから引き抜いた後は、落下する心配がある。そして、以上のことが本発明の課題といってよい。
【００１３】
本発明は、このような課題に鑑みてなされたものであり、従来のコッター挿入補助具の不具合を解消すると共に、懸垂碍子などに設けたクレビス形の貫通穴に、コッターを容易に挿入できるように、コッターの挿入を補助するコッター挿入補助具を提供することを目的とする。
【課題を解決するための手段】
【００１４】
本発明者らは、先端部が円錐形に形成された円柱状のコッター挿入補助具をクレビス形の貫通穴に挿入して、第１貫通穴と第２貫通穴を一致させておくと共に、クレビス形の貫通穴の反対側からコッターを挿入して、コッター挿入補助具を押し出すことにより、これらの課題を解消できると考え、これに基づいて、以下のような新たなコッター挿入補助具を発明するに至った。
【００１５】
（１）本発明によるコッター挿入補助具は、二山クレビス形の第１支持部と一山クレビス形の第２支持部を揺動自在に連結するために、前記第１支持部に貫通した第１貫通穴と前記第２支持部に貫通した第２貫通穴を一致させて、円柱状のコッターを挿入することを補助するコッター挿入補助具であって、前記第１貫通穴及び前記第２貫通穴に挿通可能な外径を有する円柱状の軸部と、この軸部の先端部に向かって縮径した挿入端部と、前記軸部の基端部に形成され、前記軸部の外周方向に突出するフランジ部と、を備え、前記軸部は、前記第１貫通穴の一方の開口から挿入して前記フランジ部が前記第１支持部の一方の外面に当接した状態で、先端縁が前記第２貫通穴を越える共に、前記コッターの先端部を前記第１貫通穴の他方の開口から部分的に挿入できるように、先端縁が前記第１支持部の他方の外面から奥に位置する挿入長さを有する。
【００１６】
（２）二山クレビス形の第１支持部と一山クレビス形の第２支持部を揺動自在に連結するために、前記第１支持部に貫通した第１貫通穴と前記第２支持部に貫通した第２貫通穴を一致させて、円柱状のコッターを挿入することを補助するコッター挿入補助具であって、円柱状の軸部、この軸部の先端部に向かって縮径した挿入端部、及び前記軸部の基端部に形成され、前記軸部の外周方向に突出するフランジ部を有する円柱状の補助具本体と、この補助具本体の軸部に装着される円筒状の弾性スリーブと、を備え、前記弾性スリーブは、前記軸部の基端部側に保持される保持部と、先端部から前記保持部に向かって軸方向に複数のスリットを形成して、外周方向に等分割された分割片で構成された分割部と、を有し、前記分割片は、前記軸部の外壁と間隙を設けるように、先端部から中間部に向かって拡径する第１傾斜面と、中間部から前記保持部に向かって縮径する第２傾斜面と、を有し、前記軸部は、前記第１貫通穴の一方の開口から挿入して前記フランジ部が前記第１支持部の一方の外面に当接した状態で、先端縁が前記第２貫通穴を越える共に、前記コッターの先端部を前記第１貫通穴の他方の開口から部分的に挿入できるように、先端縁が前記第１支持部の他方の外面から奥に位置する挿入長さを有し、前記弾性スリーブの先端部及び保持部は、前記第１貫通穴に挿通可能な外径を有し、前記弾性スリーブの分割部は、前記第２貫通穴に挿入されて弾性変形可能に縮小する外径を有する。
【００１７】
（３）前記軸部は、前記第２貫通穴に挿抜するときに、螺旋回転が可能な螺旋溝を外周に形成してもよい。
【００１８】
（４）本発明によるコッター挿入補助具は、前記軸部の基端部に繋留された落下防止用の紐体を更に備えることが好ましい。
【００１９】
（５）少なくとも前記挿入端部は、前記コッターの先端面に吸着可能な磁性体で形成してもよい。
【００２０】
（６）前記挿入端部は、その先端縁が軸方向と直交する平坦面で形成していることが好ましい。
【００２１】
（７）碍子連は、本発明によるコッター挿入補助具を用いて、前記第１支持部を上部に有し、前記第２支持部を下部に有する複数の懸垂碍子を連結することが好ましい。
【発明の効果】
【００２２】
本発明によるコッター挿入補助具は、クレビス形支持部の第１及び第２貫通穴に挿入して、第１支持部に設けた第１貫通穴と第２支持部に設けた第２貫通穴を一致させておくと共に、クレビス形支持部の貫通穴の反対側からコッターを挿入して、コッター挿入補助具を押し出すことにより、クレビス形支持部の貫通穴にコッターを容易に挿入できる。
【００２３】
又、本発明によるコッター挿入補助具は、軸部の基端部に紐体を繋留しているので、紐体の端部を作業員に繋留しておけば、コッター挿入補助具がコッターで押し出されても、落下を防止できる。
【図面の簡単な説明】
【００２４】
【図１】本発明の第１実施形態によるコッター挿入補助具の構成を示す斜視図であり、一組の懸垂碍子がコッターで連結される前の状態を斜視分解組立図で示している。
【図２】第１実施形態によるコッター挿入補助具の構成を示す斜視図であり、図２（Ａ）は、コッター挿入補助具を基端部側から観た状態図、図２（Ｂ）は、コッター挿入補助具を先端部側から観た状態図である。
【図３】第１実施形態によるコッター挿入補助具の正面図であり、一組の懸垂碍子にコッター挿入補助具を挿入する直前の状態図である。
【図４】第１実施形態によるコッター挿入補助具の正面図であり、一組の懸垂碍子にコッター挿入補助具を挿入した状態図である。
【図５】第１実施形態によるコッター挿入補助具の正面図であり、コッターでコッター挿入補助具が押し出された状態図である。
【図６】本発明の第２実施形態によるコッター挿入補助具の構成を示す図であり、図６（Ａ）は、コッター挿入補助具を基端部側から観た斜視分解組立図、図６（Ｂ）は、コッター挿入補助具を先端部側から観た斜視図、図６（Ｃ）は、コッター挿入補助具を先端部側から観た側面図である。
【図７】本発明の第２実施形態の別の実施形態によるコッター挿入補助具の構成を示す図であり、図７（Ａ）は、コッター挿入補助具を基端部側から観た斜視分解組立図、図７（Ｂ）は、コッター挿入補助具を先端部側から観た斜視図、図７（Ｃ）は、コッター挿入補助具を先端部側から観た側面図である。
【図８】第２実施形態によるコッター挿入補助具の正面図であり、一組の懸垂碍子にコッター挿入補助具を挿入した状態図である。
【図９】本発明の第３実施形態によるコッター挿入補助具の構成を示す斜視図であり、図９（Ａ）は、コッター挿入補助具を基端部側から観た状態図、図９（Ｂ）は、コッター挿入補助具を先端部側から観た状態図である。
【図１０】第３実施形態によるコッター挿入補助具の正面図であり、一組の懸垂碍子にコッター挿入補助具を挿入した状態図である。
【図１１】コッターで連設された懸垂碍子の正面図であり、一部を断面で示している。
【発明を実施するための形態】
【００２５】
以下、図面を参照して本発明を実施するための形態を説明する。なお、本発明によるコッター挿入補助具は、連設された複数の懸垂碍子にコッターの挿入を補助する実施例を好適な実施形態として説明する。
【００２６】
［第１実施形態］
［コッター挿入補助具の構成］
最初に、本発明の第１実施形態によるコッター挿入補助具の構成を説明する。
【００２７】
図１は、本発明の第１実施形態によるコッター挿入補助具の構成を示す斜視図であり、一組の懸垂碍子がコッターで連結される前の状態を斜視分解組立図で示している。図２は、第１実施形態によるコッター挿入補助具の構成を示す斜視図であり、図２（Ａ）は、コッター挿入補助具を基端部側から観た状態図、図２（Ｂ）は、コッター挿入補助具を先端部側から観た状態図である。なお、図１１に開示された符号と同じ符号を有する構成品は、その作用を同一とするので、以下の説明では割愛する場合がある。
【００２８】
図１又は図２を参照すると、本発明の第１実施形態によるコッター挿入補助具（以下、補助具と略称する）１０は、円柱状の軸部１ａ、挿入端部１ｂ、及びフランジ部１ｃを備えている。軸部１ａは、第１貫通穴７１ｈ及び第２貫通穴７２ｈに挿通可能な外径Ｄ１を有している（図４参照）。挿入端部１ｂは、軸部１ａの先端部に形成され、軸部１ａの先端部に向かって縮径している。フランジ部１ｃは、軸部１ａの基端部に形成され、軸部１ａの外周方向に突出している。
【００２９】
図１又は図２を参照すると、軸部１ａは、その基端部にタブ１ｄを突出している。タブ１ｄは、取り付け孔１１ｄを端部に開口している。紐体２ｓの一端部を取り付け孔１１ｄに挿通して、紐体２ｓの一端部を補助具１０に繋留すると共に、紐体２ｓの他端部を作業員などに繋留しておけば、補助具１０の落下を防止できる。
【００３０】
図１又は図２を参照すると、挿入端部１ｂは、軸方向と直交する平坦面１１ｂを先端縁に有している。補助具１０は、少なくとも挿入端部１ｂを磁性体で構成してもよく、コッター８の先端面８１ｂを挿入端部１ｂの平坦面１１ｂに当接すると、コッター８を吸着できる（図５参照）。なお、補助具１０は、ゴム体で成形してもよく、合成樹脂で成形してもよい。
【００３１】
図１を参照して、第１支持部７１に貫通した第１貫通穴７１ｈと第２支持部７２に貫通した第２貫通穴７２ｈを一致させて、第１貫通穴７１ｈ及び第２貫通穴７２ｈに軸部１ａを挿入することができ、フランジ部１ｃが第１支持部７１の一方の外面に当接して、軸部１ａの挿入長さＬが規定される（図４参照）。
【００３２】
図１又は図２を参照すると、フランジ部１ｃは、軸部１ａの外径と同じ幅になるように、外周の一部が切り欠かれた一対の平端部１１ｃ・１１ｃを有している。これにより、補助具１０を第１貫通穴７１ｈ及び第２貫通穴７２ｈに挿入又は抜去するときに、フランジ部１ｃが本体７０の底面に波状に突出した襞７ａ（図３参照）に当接し難くなる。
【００３３】
同様に、図１を参照すると、コッター８は、円柱状の軸部８ａと軸部８ａの基端部に設けたフランジ部８ｃで構成されている。又、フランジ部８ｃは、軸部８ａの外径と同じ幅になるように、外周の一部が切り欠かれた一対の平端部８１ｃ・８１ｃを有している。更に、軸部８ａの先端部側には、脱落防止用の割りピン８ｐを挿入するための貫通孔８１ａを開口している。
【００３４】
［コッター挿入補助具の作用］
次に、一組の懸垂碍子７・７を連結する手順を説明しながら、第１実施形態による補助具１０の作用及び効果を説明する。
【００３５】
図３は、第１実施形態によるコッター挿入補助具の正面図であり、一組の懸垂碍子にコッター挿入補助具を挿入する直前の状態図である。図４は、第１実施形態によるコッター挿入補助具の正面図であり、一組の懸垂碍子にコッター挿入補助具を挿入した状態図である。図５は、第１実施形態によるコッター挿入補助具の正面図であり、コッターでコッター挿入補助具が押し出された状態図である。
【００３６】
図３を参照して、最初に、第１支持部７１に貫通した第１貫通穴７１ｈと、第２支持部７２に貫通した第２貫通穴７２ｈを一致させて、フランジ部１ｃが第１支持部７１の一方の外面に当接するまで、補助具１０を挿入しておく（図４参照）。
【００３７】
図４に示された状態では、軸部１ａの先端縁が第２貫通穴７２ｈを越える共に、軸部１ａの先端縁が第１支持部７１の他方の外面から奥に位置する挿入長さＬを有している。図４に示された状態では、フランジ部１ｃが第１支持部７１の一方の外面に当接しているが、軸部１ａの先端縁は、第１支持部７１の他方の外面に至らず、他方の第１貫通穴７１ｈにコッター８の先端部を挿入する余裕がある。これにより、コッター８の差し込みと挿入をスムーズにできる。図４に示された状態から図５に示されるように、第１支持部７１の他方の第１貫通穴７１ｈにコッター８を挿入すると、コッター８に押し出されて、補助具１０が後退していく。
【００３８】
図５に示された状態では、第１貫通穴７１ｈと第２貫通穴７２ｈが一致した状態を補助具１０が保持しながら、コッター８を第１貫通穴７１ｈと及び第２貫通穴７２ｈに進入できるので、コッター８を容易に挿入できる。
【００３９】
図５に示された状態から、コッター８を第１貫通穴７１ｈ及び第２貫通穴７２ｈに更に進入すると、補助具１０を第１支持部７１から取り外すことができる。この場合、補助具１０には、紐体２ｓの一端部が繋留されているので、紐体２ｓの他端部を作業員などに繋留しておけば、補助具１０の落下又は紛失を防止できる。
【００４０】
図５に示された状態では、補助具１０を引き抜きながら、コッター８を第１貫通穴７１ｈと及び２貫通穴７２ｈに進入してもよく、この場合、少なくとも挿入端部１ｂを磁性体で形成しておくと、コッター８を補助具１０に吸着でき、補助具１０を引き抜く動作にコッター８を追従させることもできる。
【００４１】
従来技術によるコッター挿入補助具がコッターの外径と長さを増加させていたのに対し、第１実施形態による補助具１０は、コッターと形状が擬似したダミーを用いているので、懸垂碍子などに設けたクレビス形の貫通穴に、コッターを容易に挿入できる。
【００４２】
第１実施形態による補助具１０を用いれば、第１支持部７１を上部に有し、第２支持部７２を下部に有する複数の懸垂碍子７を容易に連結できる（図３）。そして、複数の懸垂碍子７を連結する作業を安全かつ効率的に実施できる。
【００４３】
第１実施形態による補助具１０は、碍子連の一端部を電柱又は鉄塔に固定された支持金物にコッターで連結する場合に使用してもよく、碍子連の他端部を電線クランプにコッターで連結する場合に使用することもできる。
【００４４】
図１を参照して、挿入端部１ｂは、軸部１ａと別体にして、磁性体で構成してもよく、軸部１ａと一体にして、磁性体で構成してもよい。又、紐体２ｓは、軸部１ａの基端部に設けたタブ１ｄに繋留しているが、フランジ部１ｃに繋留してもよい。
【００４５】
［第２実施形態］
［コッター挿入補助具の構成］
次に、本発明の第２実施形態によるコッター挿入補助具の構成を説明する。
【００４６】
図６は、本発明の第２実施形態によるコッター挿入補助具の構成を示す図であり、図６（Ａ）は、コッター挿入補助具を基端部側から観た斜視分解組立図、図６（Ｂ）は、コッター挿入補助具を先端部側から観た斜視図、図６（Ｃ）は、コッター挿入補助具を先端部側から観た側面図である。なお、図１から図５、及び図１１に開示された符号と同じ符号を有する構成品は、その作用を同一とするので、以下の説明では割愛する場合がある。
【００４７】
図６を参照すると、本発明の第２実施形態による補助具２０は、円柱状の補助具本体２と円筒状の弾性スリーブ３を備えている。補助具本体２は、円柱状の軸部２ａ、挿入端部２ｂ、及びフランジ部２ｃを有している。軸部２ａには、弾性スリーブ３が装着される。挿入端部２ｂは、軸部２ａの先端部に形成され、軸部２ａの先端部に向かって縮径している。フランジ部２ｃは、軸部２ａの基端部に形成され、軸部２ａの外周方向に突出している。
【００４８】
図６を参照すると、軸部２ａは、その基端部にタブ２ｄを突出している。タブ２ｄは、取り付け孔２１ｄを端部に開口している。図８を参照して、紐体２ｓの一端部を取り付け孔２１ｄに挿通して、紐体２ｓの一端部を補助具２０に繋留すると共に、紐体２ｓの他端部を作業員などに繋留しておけば、補助具２０の落下を防止できる。
【００４９】
図６を参照すると、挿入端部２ｂは、軸方向と直交する平坦面２１ｂを先端縁に有している。補助具２０は、少なくとも挿入端部２ｂを磁性体で構成してもよく、コッター８の先端面８１ｂを挿入端部２ｂの平坦面２１ｂに当接すると、コッター８を吸着できる（図８参照）。補助具本体２は、金属体を加工してもよく、合成樹脂で成形してもよい。
【００５０】
図６を参照すると、弾性スリーブ３は、所定の板厚を有する金属板からなり、展開された金属板を円筒状に成形加工している。そして、弾性スリーブ３は、保持部３ａと分割部３ｂを有している。
【００５１】
図６（Ａ）を参照すると、保持部３ａは、内部に向かって屈曲された対向する一対のランス（槍状の突起）３１ａ・３１ａを配置している。一方、軸部２ａは、内部に向かって陥没した一対の凹部２１ａ・２１ａを基端部に形成している。保持部３ａを軸部２ａに挿入すると、ランス３１ａが凹部２１ａに係止して、保持部３ａが軸部２ａの基端部側に保持される。
【００５２】
図６を参照すると、分割部３ｂは、先端部から保持部３ａに向かって軸方向に六つのスリット３１ｓを形成して、外周方向に六つに等分割された分割片３１ｂで構成している。分割片３１ｂは、軸部２ａの外壁と間隙を設けるように、先端部から分割部３ｂの中間部に向かって拡径する第１傾斜面３１１を形成している。又、分割片３１ｂは、分割部３ｂの中間部から保持部３ａに向かって縮径する第２傾斜面３２１を形成している。つまり、分割部３ｂの中間部は、外周方向に膨出している。
【００５３】
図６（Ａ）を参照すると、軸部２ａは、帯状に延びる六つの溝２２ａを外周に形成している。これらの溝２２ａは、分割片３１ｂと対応する部位に形成されている。そして、分割部３ｂの中間部が圧縮されると、分割片３１ｂの内面側を溝２２ａに収容できる。
【００５４】
図８を参照して、第１支持部７１に貫通した第１貫通穴７１ｈと第２支持部７２に貫通した第２貫通穴７２ｈを一致させて、第１貫通穴７１ｈ及び第２貫通穴７２ｈに弾性スリーブ３が装着された軸部２ａを挿入することができ、フランジ部２ｃが第１支持部７１の一方の外面に当接して、軸部２ａの挿入長さＬが規定される。
【００５５】
図６を参照すると、弾性スリーブ３の先端部及び保持部３ａは、第１貫通穴７１ｈに挿通可能な外径Ｄ２を有している（図８参照）。又、弾性スリーブ３の分割部３ｂは、第２貫通穴７２ｈに挿入されて、弾性変形可能に縮小する外径Ｄ２を有している（図８参照）。これにより、補助具２０は、第２支持部７２に弾性をもって保持される。
【００５６】
図６を参照すると、フランジ部２ｃは、保持部３ａの外径と同じ幅になるように、外周の一部が切り欠かれた一対の平端部２１ｃ・２１ｃを有している。これにより、補助具２０を第１貫通穴７１ｈ及び第２貫通穴７２ｈに挿入又は抜去するときに、フランジ部２ｃが本体７０の底面に波状に突出した襞７ａ（図３参照）に当接し難くなる。
【００５７】
（別の実施形態によるコッター挿入補助具の構成）
次に、本発明の第２実施形態の別の実施形態によるコッター挿入補助具の構成を説明する。図７は、本発明の第２実施形態の別の実施形態によるコッター挿入補助具の構成を示す図であり、図７（Ａ）は、コッター挿入補助具を基端部側から観た斜視分解組立図、図７（Ｂ）は、コッター挿入補助具を先端部側から観た斜視図、図７（Ｃ）は、コッター挿入補助具を先端部側から観た側面図である。
【００５８】
図７を参照すると、本発明の第２実施形態の別の実施形態による補助具２００は、円柱状の補助具本体２１と円筒状の弾性スリーブ３１を備えている。補助具本体２１は、円柱状の軸部２ａ、挿入端部２ｂ、及びフランジ部２ｃを有している。軸部２ａには、弾性スリーブ３１が装着される。挿入端部２ｂは、軸部２ａの先端部に形成され、軸部２ａの先端部に向かって縮径している。フランジ部２ｃは、軸部２ａの基端部に形成され、軸部２ａの外周方向に突出している。
【００５９】
図７に示された補助具本体２１は、図６に示された補助具本体２と略同じものであるが、補助具本体２の軸部２ａには、六つの溝２２ａを外周に形成しているのに対して、補助具本体２１の軸部２ａには、四つの溝２２ａを外周に形成しているという違いがある。
【００６０】
同様に、図７に示された弾性スリーブ３１は、図６に示された弾性スリーブ３と略同じものであるが、弾性スリーブ３の分割部３ｂは、六つの分割片３１ｂで構成しているのに対して、弾性スリーブ３１の分割部３ｂは、四つの分割片３１ｂで構成しているという違いがある。
【００６１】
図７に示された補助具２００は、弾性スリーブ３１の分割部３ｂを四つの分割片３１ｂで構成した実施形態を例示したが、弾性スリーブ３１の分割数は、三つでもよく、五つでもよく、図６又は図７に示された実施形態に限定されない。又、図７において、図６と同じ符号を付した構成品は、その作用を同じにするので、説明を割愛する。
【００６２】
［コッター挿入補助具の作用］
次に、一組の懸垂碍子７・７を連結する手順を説明しながら、第２実施形態による補助具２０の作用及び効果を説明する。図８は、第２実施形態によるコッター挿入補助具の正面図であり、一組の懸垂碍子にコッター挿入補助具を挿入した状態図である。なお、以下の説明では、第１実施形態による補助具１０で使用した図面を援用することがある。
【００６３】
図３を参照して、最初に、第１支持部７１に貫通した第１貫通穴７１ｈと、第２支持部７２に貫通した第２貫通穴７２ｈを一致させて、フランジ部２ｃが第１支持部７１の一方の外面に当接するまで、補助具２０を挿入しておく（図８参照）。
【００６４】
図８に示された状態では、軸部２ａの先端縁が第２貫通穴７２ｈを越える共に、軸部２ａの先端縁が第１支持部７１の他方の外面から奥に位置する挿入長さＬを有している。図８に示された状態では、フランジ部２ｃが第１支持部７１の一方の外面に当接しているが、軸部２ａの先端縁は、第１支持部７１の他方の外面に至らず、他方の第１貫通穴７１ｈにコッター８の先端部を挿入する余裕がある。これにより、コッター８の差し込みと挿入をスムーズにできる。
【００６５】
図８に示された状態から、第１支持部７１の他方の第１貫通穴７１ｈにコッター８を挿入すると（図５参照）、コッター８に押し出されて、補助具２０が後退していく。この状態では、第１貫通穴７１ｈと第２貫通穴７２ｈが一致した状態を補助具２０が保持しながら、コッター８を第１貫通穴７１ｈと及び第２貫通穴７２ｈに進入できるので、コッター８を容易に挿入できる。
【００６６】
図８を参照して、上述した状態から、コッター８を第１貫通穴７１ｈ及び第２貫通穴７２ｈに更に進入すると、補助具２０を第１支持部７１から取り外すことができる。この場合、補助具２０には、紐体２ｓの一端部が繋留されているので、紐体２ｓの他端部を作業員などに繋留しておけば、補助具２０の落下又は紛失を防止できる。
【００６７】
図８を参照して、上述した状態では、補助具２０を引き抜きながら、コッター８を第１貫通穴７１ｈと及び２貫通穴７２ｈに進入してもよく、この場合、少なくとも挿入端部２ｂを磁性体で形成しておくと、コッター８を補助具２０に吸着でき、補助具２０を引き抜く動作にコッター８を追従させることもできる。
【００６８】
このように、第２実施形態による補助具２０は、第１実施形態による補助具１０と同様な効果を奏する他に、弾性スリーブ３の分割部３ｂは、第２貫通穴７２ｈに挿入されて、弾性変形可能に縮小する外径Ｄ２を有しているので（図８参照）、補助具２０は、第２支持部７２に弾性をもって保持される、という特有の効果がある。つまり、第２実施形態による補助具２０は、作業中に脱落し難いという効果がある。
【００６９】
［第３実施形態］
［コッター挿入補助具の構成］
次に、本発明の第３実施形態によるコッター挿入補助具の構成を説明する。
【００７０】
図９は、本発明の第３実施形態によるコッター挿入補助具の構成を示す斜視図であり、図９（Ａ）は、コッター挿入補助具を基端部側から観た状態図、図９（Ｂ）は、コッター挿入補助具を先端部側から観た状態図である。
【００７１】
図９を参照すると、本発明の第３実施形態による補助具４０は、円柱状の軸部４ａ、挿入端部４ｂ、及びフランジ部４ｃを備えている。軸部４ａは、螺旋溝４１ａを外周に形成している。挿入端部４ｂは、軸部４ａの先端部に形成され、軸部４ａの先端部に向かって縮径している。フランジ部４ｃは、軸部４ａの基端部に形成され、軸部４ａの外周方向に突出している。
【００７２】
図９を参照すると、軸部４ａは、その基端部にタブ４ｄを突出している。タブ４ｄは、取り付け孔４１ｄを端部に開口している。図１０を参照して、紐体２ｓの一端部を取り付け孔４１ｄに挿通して、紐体２ｓの一端部を補助具４０に繋留すると共に、紐体２ｓの他端部を作業員などに繋留しておけば、補助具４０の落下を防止できる。
【００７３】
図９を参照すると、挿入端部４ｂは、軸方向と直交する平坦面４１ｂを先端縁に有している。補助具４０は、少なくとも挿入端部４ｂを磁性体で構成してもよく、コッター８の先端面８１ｂを挿入端部４ｂの平坦面４１ｂに当接すると、コッター８を吸着できる（図１０参照）。補助具４０は、ゴム体で成形してもよく、合成樹脂で成形してもよい。
【００７４】
図１０を参照して、第１支持部７１に貫通した第１貫通穴７１ｈと第２支持部７２に貫通した第２貫通穴７２ｈを一致させて、第１貫通穴７１ｈ及び第２貫通穴７２ｈに軸部４ａを挿入することができ、フランジ部４ｃが第１支持部７１の一方の外面に当接して、軸部４ａの挿入長さＬが規定される（図９参照）。
【００７５】
図９を参照すると、フランジ部４ｃは、軸部４ａの外径と同じ幅になるように、外周の一部が切り欠かれた一対の平端部４１ｃ・４１ｃを有している。これにより、補助具４０を第１貫通穴７１ｈ及び第２貫通穴７２ｈに挿入又は抜去するときに、フランジ部４ｃが本体７０の底面に波状に突出した襞７ａ（図３参照）に当接し難くなる。
【００７６】
図９及び図１０を参照すると、軸部４ａの外径Ｄ３は、第２貫通穴７２ｈの内径より僅かに大きいことが好ましく、軸部４ａを第２貫通穴７２ｈに挿入したときに、軸部４ａが第２支持部７２に保持されることが好ましい。この場合、軸部４ａには、螺旋溝４１ａが外周に形成されているので、軸部４ａを螺旋回転すれば、軸部４ａを第２貫通穴７２ｈに円滑に挿抜できる。
【００７７】
図９を参照して、軸部４ａの外周に形成された螺旋溝４１ａのリード角は大きいことが好ましく、軸部４ａの回転角度に対して、軸部４ａの軸方向の移動距離（リード）を大きくできる。螺旋溝４１ａは、Ｖ字状に形成してもよく、方形に形成してもよい。又、螺旋溝４１ａは、切削加工してもよく、成形してもよい。
【００７８】
［コッター挿入補助具の作用］
次に、一組の懸垂碍子７・７を連結する手順を説明しながら、第３実施形態による補助具４０の作用及び効果を説明する。図１０は、第３実施形態によるコッター挿入補助具の正面図であり、一組の懸垂碍子にコッター挿入補助具を挿入した状態図である。
【００７９】
図１０を参照して、最初に、第１支持部７１に貫通した第１貫通穴７１ｈと、第２支持部７２に貫通した第２貫通穴７２ｈを一致させて、フランジ部４ｃが第１支持部７１の一方の外面に当接するまで、補助具４０を挿入しておく。
【００８０】
図１０に示された状態では、軸部４ａの先端縁が第２貫通穴７２ｈを越える共に、軸部４ａの先端縁が第１支持部７１の他方の外面から奥に位置する挿入長さＬを有している。図１０に示された状態では、フランジ部４ｃが第１支持部７１の一方の外面に当接しているが、軸部４ａの先端縁は、第１支持部７１の他方の外面に至らず、他方の第１貫通穴７１ｈにコッター８の先端部を挿入する余裕がある。これにより、コッター８の差し込みと挿入をスムーズにできる。
【００８１】
図１０に示された状態から、第１支持部７１の他方の第１貫通穴７１ｈにコッター８を挿入すると、コッター８に押し出されて、補助具４０が後退していく。この状態では、第１貫通穴７１ｈと第２貫通穴７２ｈが一致した状態を補助具４０が保持しながら、コッター８を第１貫通穴７１ｈと及び第２貫通穴７２ｈに進入できるので、コッター８を容易に挿入できる。
【００８２】
図１０を参照して、上述した状態から、コッター８を第１貫通穴７１ｈ及び第２貫通穴７２ｈに更に進入すると、補助具４０を第１支持部７１から取り外すことができる。この場合、補助具４０には、紐体２ｓの一端部が繋留されているので、紐体２ｓの他端部を作業員などに繋留しておけば、補助具４０の落下又は紛失を防止できる。
【００８３】
図１０を参照して、上述した状態では、補助具４０を引き抜きながら、コッター８を第１貫通穴７１ｈと及び２貫通穴７２ｈに進入してもよく、この場合、少なくとも挿入端部４ｂを磁性体で形成しておくと、コッター８を補助具４０に吸着でき、補助具４０を引き抜く動作にコッター８を追従させることもできる。
【００８４】
このように、図９又は図１０を参照すると、第３実施形態による補助具４０は、第１実施形態による補助具１０又は第２実施形態による補助具２０と同様な効果を奏する他に、軸部４ａの外径Ｄ３は、第２貫通穴７２ｈの内径より僅かに大きく形成しているので、軸部４ａを第２貫通穴７２ｈに挿入したときに、軸部４ａが第２支持部７２に確実に保持されるという特有の効果がある。つまり、第３実施形態による補助具３０は、作業中に脱落し難いという効果がある。
【００８５】
一方、図９又は図１０を参照すると、第３実施形態による補助具４０は、軸部４ａの外周に螺旋溝４１ａを形成しているので、軸部４ａを螺旋回転して、軸部４ａを第２貫通穴７２ｈに円滑に挿入できる、という特有の効果がある。又、コッター８で軸部４ａを押すと共に、軸部４ａを螺旋回転すると、軸部４ａを第２貫通穴７２ｈから円滑に引き抜くことができる、という特有の効果がある。
【００８６】
本発明によるコッター挿入補助具は、クレビス形支持部を有する碍子を支持部材にコッターで連結するため有用な実施形態を開示したが、これに限定されない。本発明によるコッター挿入補助具は、クレビス形支持部を有するシリンダなどのアクチュエータを支持部材にコッターで連結する場合に適用でき、電気工事のみならず、機械の組立作業にも適用でき、応用範囲を広くすることができる。
【符号の説明】
【００８７】
１ａ  軸部
１ｂ  挿入端部
１ｃ  フランジ部
８  コッター
１０  補助具（コッター挿入補助具）
７１  第１支持部
７１ｈ  第１貫通穴
７２  第２支持部
７２ｈ  第２貫通穴
Ｄ１  外径（軸部の外径）
Ｌ  挿入長さ（軸部の外径）
【図１】
2013033703.tif 000003
【図２】
2013033703.tif 000004
【図３】
2013033703.tif 000005
【図４】
2013033703.tif 000006
【図５】
2013033703.tif 000007
【図６】
2013033703.tif 000008
【図７】
2013033703.tif 000009
【図８】
2013033703.tif 000010
【図９】
2013033703.tif 000011
【図１０】
2013033703.tif 000012
【図１１】
2013033703.tif 000013